(57)【要約】【課題】正確な信号波形を表示または印刷可能なデータを短時間で確実に記録する。【解決手段】入力信号を信号処理する信号処理部と、処理後信号をＡ／Ｄ変換するＡ／Ｄ変換部と、指定された処理条件に従って入力信号を信号処理させると共にＡ／Ｄ変換部によってＡ／Ｄ変換されたデジタル信号のサンプリング値をデータ記録部に時系列に順次記録させる波形記録処理１０を実行する制御部とを備え、制御部は、記録処理１０の実行中に新たな処理条件が指定されたときに（ステップ１４）、新たな処理条件に従って入力信号を信号処理させると共に、新たな処理条件が指定されたことを特定可能な第１の情報（値が「１」の変更フラグ）を、新たな処理条件に従って信号処理された最初のサンプリング値に対応付けて記録させ（ステップ１６）、かつ、新たな処理条件の内容を特定可能な第２の情報（設定情報）を第１の情報に対応付けて記録させる（ステップ１７）。【選択図】図５
2013076635.tif 000002
【特許請求の範囲】
【請求項１】
入力信号を信号処理する信号処理部と、当該信号処理部によって信号処理された処理後信号をＡ／Ｄ変換するＡ／Ｄ変換部と、指定された処理条件に従って前記信号処理部を制御して前記入力信号を信号処理させると共に前記Ａ／Ｄ変換部によってＡ／Ｄ変換されたデジタル信号の値をデータ記録部に時系列に順次記録させる波形記録処理を実行する制御部とを備えた波形記録装置であって、
前記制御部は、前記波形記録処理中に新たな前記処理条件が指定されたときに、当該新たな処理条件に従って前記信号処理部を制御して前記入力信号を信号処理させると共に、当該新たな処理条件が指定されたことを特定可能な第１の情報を、当該新たな処理条件に従って信号処理されて最初にＡ／Ｄ変換された前記デジタル信号の値に対応付けて前記記録部に記録させ、かつ、当該新たな処理条件の内容を特定可能な第２の情報を前記第１の情報に対応付けて前記記録部に記録させる波形記録装置。
【請求項２】
前記制御部は、前記波形記録処理中に新たな前記処理条件が指定されたときに、前記記録部に記録させたいずれの前記第２の情報に対応する前記処理条件に従って信号処理された前記処理後信号をＡ／Ｄ変換した前記デジタル信号の値であるかを特定可能な第３の情報を当該各デジタル信号の値にそれぞれ対応付けて前記記録部に記録させる請求項１記載の波形記録装置。
【発明の詳細な説明】
【技術分野】
【０００１】
本発明は、入力信号を信号処理した後にＡ／Ｄ変換したデジタル信号の値を記録部に記録させる波形記録装置に関するものである。
【背景技術】
【０００２】
例えば特開平６−１３７９０１号公報には、波形信号をサンプリングして記録する波形記録装置が開示されている。この波形記録装置は、装置外部から入力された波形信号（以下、「入力信号」ともいう）を増幅または減衰する（すなわち、測定レンジを切り替えて信号処理する）可変増幅器、および可変増幅器から出力された増幅後または減衰後の信号（以下、「処理後信号」ともいう）をＡ／Ｄ変換するＡ／Ｄ変換器をチャネルＣＨ１〜ＣＨ４の４つのチャネル毎にそれぞれ備えている。また、この波形記録装置では、各Ａ／Ｄ変換器から出力されたデジタル波形信号の値を制御部が記録計に記録させたり、デジタル波形信号に対応する信号波形を表示器に表示させたりする構成が採用されている。
【０００３】
具体的には、この波形記録装置では、制御部が、タイムスケール、レンジおよびチャネル数等の初期設定情報をメモリから読み出して可変増幅器等を制御すると共に、可変増幅器によって信号処理されてＡ／Ｄ変換器によってＡ／Ｄ変換されたデジタル波形信号の値を記録計に出力して順次記録させる。また、制御部は、デジタル波形信号の値と初期設定情報とに基づいて表示データを作成し、作成した表示データに基づいて表示器に信号波形を表示させる。なお、この波形記録装置では、タブレットの操作によって信号波形の表示態様を変更することができるように構成されているが、この表示態様の変更操作に関する説明を省略する。これにより、デジタル波形信号の記録、およびデジタル波形信号に基づく信号波形の表示が完了する。
【先行技術文献】
【特許文献】
【０００４】
【特許文献１】特開平６−１３７９０１号公報（第２−４頁、第１−３図）
【発明の概要】
【発明が解決しようとする課題】
【０００５】
ところが、従来の波形記録装置には、以下の問題点が存在する。すなわち、従来の波形記録装置では、可変増幅器が入力信号を増幅または減衰して処理後信号を生成し、Ａ／Ｄ変換器（Ａ／Ｄ変換部）が処理後信号をＡ／Ｄ変換してデジタル波形信号を生成し、制御部がデジタル波形信号の値を記録計に記録させたり、デジタル波形信号に対応する信号波形を表示器（表示部）に表示させたりする構成が採用されている。この場合、この種の波形記録装置によるデジタル波形信号の値（以下、「波形データ」ともいう）の記録や波形データに基づく信号波形の表示に際しては、入力信号の電圧変化に伴い、可変増幅器による信号処理条件を変更する必要が生じることがある。
【０００６】
具体的には、一例として、入力信号の電圧値の記録中（または、表示中）に電圧値が徐々に上昇して、Ａ／Ｄ変換部の入力定格範囲を超えそうになったときに、信号処理条件が変更されなかったとき（可変増幅器による入力信号の信号増幅率が維持されたとき）には、Ａ／Ｄ変換部に入力される電圧が入力定格を超えた時点以降において、Ａ／Ｄ変換部から出力される波形データ（デジタル波形信号の値）が入力定格の上限値で一定（飽和）となってしまう。したがって、この例においては、入力信号の電圧値がＡ／Ｄ変換部の入力定格範囲を超えそうになったときに、可変増幅器による信号増幅率を低下させる（または、減衰させる）ように処理条件を変更する必要が生じる。
【０００７】
この場合、この種の波形記録装置には、Ａ／Ｄ変換部から出力された波形データを記録する波形記録処理中に、Ａ／Ｄ変換部に入力する信号を信号処理する回路（上記の波形記録装置における可変増幅器等）の処理条件が変更されたときに、そのまま波形記録処理を続行するタイプの装置と、処理条件の変更前に実行していた波形記録処理において記録した波形データを破棄して新たな処理条件に従って波形記録処理を最初から実行するタイプの装置とが存在する。
【０００８】
また、この種の波形記録装置では、例えば、波形データの記録後に信号波形を表示部に表示させたり印刷部に印刷させたりする際に、記録した波形データと、その波形データの記録時における入力信号の処理条件についての情報とに基づいて、各時点における入力信号の測定値（上記の例における電圧値）を演算する構成が採用されている。このため、この種の波形記録装置では、波形記録処理の開始時点において設定されている処理条件（従来の波形記録装置における「初期設定情報」）、または、波形記録処理の終了時点において設定されている処理条件のいずれかを、一連の記録処理で記録した各波形データに対応付けて記録する構成が採用されている。
【０００９】
したがって、波形記録処理中に処理条件が変更されたときに波形記録処理を続行するタイプの波形記録装置では、変更前の処理条件に従って信号処理された処理後信号についての波形データ（以下、「条件変更前のデータ」ともいう）と、変更後の処理条件に従って信号処理された処理後信号についての波形データ（以下、「条件変更後のデータ」ともいう）との双方に対して、変更前の処理条件、および変更後の処理条件のいずれかが対応付けて記録されることとなる。このため、このタイプの波形記録装置では、信号波形の表示や印刷に際して、条件変更前のデータに基づく信号波形、および条件変更後のデータに基づく信号波形のいずれか一方が、その値の記録時の処理条件とは相違する処理条件に基づいて演算される結果、条件変更前のデータに基づく信号波形、および条件変更後のデータに基づく信号波形のいずれか一方については、正確に表示または印刷することができないという問題点がある。
【００１０】
一方、波形記録処理中に処理条件が変更されたときに新たな処理条件に従って波形記録処理を最初から実行するタイプの波形記録装置では、記録される各波形データに対応付けて新たな処理条件が記録されるため、処理条件が変更されたときに波形記録処理を続行するタイプの波形記録装置に存在する上記の問題点が解消されている。しかしながら、このタイプの波形記録装置では、処理条件を変更する都度、変更前に記録した波形データが破棄されてしまう。このため、対象とする入力信号についての波形記録処理を再び実行することができないとき（例えば、記録対象の信号が１度しか発生しないとき）には処理条件を変更することができず、また、波形記録処理を再び実行することができるときにおいても、処理条件の変更前に実行した波形記録処理の分だけ、所望のデータ量の波形データを得るのに要する時間が長くなるという問題点が存在する。
【００１１】
本発明は、かかる問題点や改善すべき課題に鑑みてなされたものであり、正確な信号波形を表示または印刷可能なデータを短時間で確実に記録し得る波形記録装置を提供することを主目的とする。
【課題を解決するための手段】
【００１２】
上記目的を達成すべく請求項１記載の波形記録装置は、入力信号を信号処理する信号処理部と、当該信号処理部によって信号処理された処理後信号をＡ／Ｄ変換するＡ／Ｄ変換部と、指定された処理条件に従って前記信号処理部を制御して前記入力信号を信号処理させると共に前記Ａ／Ｄ変換部によってＡ／Ｄ変換されたデジタル信号の値をデータ記録部に時系列に順次記録させる波形記録処理を実行する制御部とを備えた波形記録装置であって、前記制御部は、前記波形記録処理中に新たな前記処理条件が指定されたときに、当該新たな処理条件に従って前記信号処理部を制御して前記入力信号を信号処理させると共に、当該新たな処理条件が指定されたことを特定可能な第１の情報を、当該新たな処理条件に従って信号処理されて最初にＡ／Ｄ変換された前記デジタル信号の値に対応付けて前記記録部に記録させ、かつ、当該新たな処理条件の内容を特定可能な第２の情報を前記第１の情報に対応付けて前記記録部に記録させる。
【００１３】
また、請求項２記載の波形記録装置は、請求項１記載の波形記録装置において、前記制御部は、前記波形記録処理中に新たな前記処理条件が指定されたときに、前記記録部に記録させたいずれの前記第２の情報に対応する前記処理条件に従って信号処理された前記処理後信号をＡ／Ｄ変換した前記デジタル信号の値であるかを特定可能な第３の情報を当該各デジタル信号の値にそれぞれ対応付けて前記記録部に記録させる。
【発明の効果】
【００１４】
請求項１記載の波形記録装置によれば、新たな処理条件が指定されたことを特定可能な第１の情報を、新たな処理条件に従って信号処理して最初にＡ／Ｄ変換したデジタル信号の値に対応付けて記録させ、かつ、新たな処理条件の内容を特定可能な第２の情報を第１の情報に対応付けて記録させることにより、信号処理部による信号処理の処理条件が変更されたときにデジタル信号の値（サンプリング値）の記録処理を継続したとしても、各サンプリング値がどのような処理条件に従って信号処理された処理後信号についてのデジタル信号のサンプリング値であるかを確実に特定することができる。このため、条件変更前のサンプリング値に基づく信号波形、および条件変更後のサンプリング値に基づく信号波形の双方を正確に表示または印刷することができる。また、信号処理部による信号処理の処理条件を変更する必要が生じたときにサンプリング値の記録処理を続行することができるため、記録処理を再び実行することができないとき（例えば、記録対象の入力信号が１度しか発生しないとき）であっても、処理条件を任意に変更することができると共に、信号処理の処理条件を変更する以前に記録したサンプリング値を破棄することなく、正確な信号波形を表示または印刷可能な情報として利用することができるため、信号処理の処理条件を変更する以前に記録したサンプリング値を破棄するのと比較して、所望のデータ量のサンプリング値を得るのに要する時間を充分に短縮することができる。
【００１５】
また、請求項２記載の波形記録装置によれば、波形記録処理中に新たな処理条件が指定されたときに、記録させたいずれの第２の情報に対応する処理条件に従って信号処理した処理後信号をＡ／Ｄ変換したデジタル信号の値であるかを特定可能な第３の情報を各デジタル信号の値にそれぞれ対応付けて記録させることにより、各サンプリング値が時系列に順次記録されたデータを途中から参照して信号波形を表示させたり印刷させたりするときであっても、参照を開始したサンプリング値がどのような処理条件に従って信号処理された処理後信号についてのデジタル信号のサンプリング値であるかを確実に特定することができる。
【図面の簡単な説明】
【００１６】
【図１】波形記録装置１のブロック図である。
【図２】入力信号Ｓｉと波形データＤｗおよび設定情報Ｄｓに基づく信号波形Ｗとの関係について説明するための波形図である。
【図３】波形データＤｗの一例について説明するための説明図である。
【図４】設定情報Ｄｓの一例について説明するための説明図である。
【図５】波形記録処理１０のフローチャートである。
【発明を実施するための形態】
【００１７】
以下、本発明に係る波形記録装置の実施の形態について、添付図面を参照して説明する。
【００１８】
図１に示す波形記録装置１は、信号処理部２、Ａ／Ｄ変換部３、操作部４、表示部５、印刷部６、記録部７、制御部８および記憶部９を備え、入力信号Ｓｉについてのデジタル信号Ｄｄ（「Ａ／Ｄ変換部によってＡ／Ｄ変換されたデジタル信号」の一例）のサンプリング値を波形データＤｗとして記録可能に構成されている。信号処理部２は、入力信号Ｓｉを増幅または減衰させるアンプ回路や、入力信号Ｓｉについてのフィルタリング処理を実行するフィルタリング回路を備え（図示せず）、制御部８の制御に従って入力信号Ｓｉを信号処理して処理後信号Ｓａを出力する。Ａ／Ｄ変換部３は、信号処理部２によって信号処理された処理後信号ＳａをＡ／Ｄ変換してデジタル信号Ｄｄを生成する。
【００１９】
操作部４は、波形記録装置１の動作条件（波形記録処理の開始条件および終了条件や、信号処理部２による信号処理の処理条件等）を設定するための操作スイッチなど（図示せず）を備え、スイッチ操作に応じた操作信号を制御部８に出力する。表示部５は、制御部８の制御に従い、波形記録装置１の動作条件を設定するための動作条件設定画面（図示せず）や、後述するように記録部７に記録した波形データＤｗ（図３参照）および設定情報Ｄｓ（図４参照）に基づく信号波形Ｗ（図２参照）を表示する信号波形表示画面（図示せず）を表示する。なお、本例の波形記録装置１では、信号波形表示画面等を表示するための表示部５を備えて構成されているが、外部装置としての「表示部」に信号波形表示画面等を表示させる構成を採用することもできる。
【００２０】
印刷部６は、制御部８の制御に従い、上記の信号波形Ｗ等を印刷する。なお、本例の波形記録装置１では、信号波形Ｗ等を印刷する印刷部６を備えて構成されているが、外部装置としての「印刷部」に信号波形Ｗ等を印刷させる構成を採用することもできる。記録部７は、「データ記録部」に相当し、一例として、ハードディスクドライブや、不揮発性メモリ等の記憶媒体を備えて構成されて、制御部８の制御に従って波形データＤｗや設定情報Ｄｓなどを記録する。なお、本例の波形記録装置１では、波形データＤｗや設定情報Ｄｓを記録する記録部７を備えて構成されているが、外部装置としての「データ記録部」に波形データＤｗや設定情報Ｄｓを記録させる構成を採用することもできる。
【００２１】
制御部８は、波形記録装置１を総括的に制御する。具体的には、制御部８は、操作部４のスタートスイッチが操作されたときや、予め設定された開始条件（設定された開始時刻が到来したとの条件、および設定されたトリガ条件を満たす入力信号Ｓｉが入力されたとの条件）が満たされたときに、図５に示す波形記録処理１０を実行して、入力信号Ｓｉについての波形データＤｗや、その波形データＤｗの記録時に信号処理部２が実行した信号処理の処理条件についての設定情報Ｄｓを記録部７に記録させる。また、制御部８は、表示部５を制御して、記録部７に記録させた波形データＤｗおよび設定情報Ｄｓに基づく信号波形Ｗを表示させる。さらに、制御部８は、印刷部６を制御して、記録部７に記録させた波形データＤｗおよび設定情報Ｄｓに基づく信号波形Ｗを印刷させる。
【００２２】
この場合、図３に示すように、波形データＤｗは、Ａ／Ｄ変換部３から出力されたデジタル信号Ｄｄを予め設定された周期でサンプリングしたサンプリング値（「デジタル信号の値」の一例）と、そのサンプリング値のデジタル信号Ｄｄが生成された時点において信号処理部２による処理条件が変更されたか否かを特定するための変更フラグと、そのサンプリング値のデジタル信号Ｄｄが生成された時点において信号処理部２が実行していた処理条件を特定するための設定情報番号とが時系列に記録されて構成されている。なお、この波形記録装置１では、後述するように、波形記録処理１０の実行中に新たな処理条件が指定されたときに、新たな処理条件に従って信号処理されて最初にＡ／Ｄ変換されたデジタル信号Ｄｄのサンプリング値に対応付けて、値が「１」の変更フラグ（「第１の情報」の一例）が記録される構成が採用されている。
【００２３】
また、設定情報Ｄｓは、「第２の情報」の一例に相当すると共に、上記の波形データＤｗにおける設定情報番号と相俟って「第３の情報」を構成する。この設定情報Ｄｓは、図４に示すように、設定（指定）されていた処理条件の設定値（増幅率または減衰率や、フィルタリング処理の内容等）を特定可能な情報（同図における「設定値０」〜「設定２」の各設定値）が記録されて構成されている。この場合、本例の波形記録装置１では、一例として、波形記録処理１０の開始時点において設定されていた処理条件の設定値（同図における「設定０」の設定値）を先頭にして、最初に処理条件が変更された際に設定された処理条件の設定値（同図における「設定１」の設定値）、および次に処理条件が変更された際に設定された処理条件の設定値（同図における「設定２」の設定値）が設定情報Ｄｓとして順次追記されることにより、各時点における信号処理の処理条件を特定することが可能となっている。一方、記憶部９は、信号処理部２から出力されたデジタル信号Ｄｄや、制御部８の演算結果を一時的に記憶する。
【００２４】
この波形記録装置１による記録処理に際しては、まず、一例として、操作部４を操作して、開始条件および終了条件や、開始時点において信号処理部２が実行する信号処理の処理条件等を設定する。この際には、一例として、開始条件として任意の開始時刻を設定し、終了条件として処理開始から１０分が経過した時点との条件を設定し、記録条件として、入力信号Ｓｉの電圧値を１秒間隔で記録するとの条件を設定し、開始時点において信号処理部２が実行する信号処理の処理条件として、入力信号Ｓｉを１０倍の増幅率で増幅し、かつフィルタリング処理を実行しないとの条件を設定する。また、記録対象の入力信号Ｓｉを出力する対象体に信号処理部２を接続した状態において、上記の開始条件が満たされたときには、制御部８が、図５に示す波形記録処理１０を開始する。
【００２５】
この波形記録処理１０では、制御部８は、まず、波形記録処理１０の開始時点において指定されていた信号処理部２による信号処理の処理条件（初期の処理条件）を設定情報Ｄｓの第１レコードに記録する（ステップ１１）。次いで、制御部８は、入力信号Ｓｉについてのサンプリング処理を実行する（ステップ１２）。具体的には、制御部８は、指定された処理条件に従って信号処理部２を制御して入力信号Ｓｉを信号処理させる（この例では、１０倍の増幅率で入力信号Ｓｉを増幅させる）と共に、Ａ／Ｄ変換部３が処理後信号ＳａをＡ／Ｄ変換したデジタル信号Ｄｄの値を設定された周期（この例では、１秒間隔）でサンプリングする。
【００２６】
また、制御部８は、サンプリングした値（サンプリング値）を時系列に順次記録する（波形データＤｗの記録：ステップ１３）。この場合、この波形記録装置１では、記録処理の開始時点から、信号処理部２による信号処理の処理条件が変更される（新たな処理条件が指定される）までの間においてサンプリングしたサンプリング値については、制御部８が、値が「０」の変更フラグを、そのサンプリング値に対応付けて波形データＤｗ内に記録する。また、初期の処理条件に従って信号処理部２に信号処理させている状態においてサンプリングしたサンプリング値については、設定情報番号として「０」の値を、そのサンプリング値に対応付けて波形データＤｗ内に記録する。
【００２７】
次いで、制御部８は、信号処理部２による信号処理の処理条件が変更されたか否か（新たな処理条件が指定されたか否か）を判別し（ステップ１４）、変更されていないときには、設定された終了条件（この例では、開始から１０分が経過したとの条件）が満たされたか否かを判別する（ステップ１５）。この際には、終了条件が満たされていない（開始から１０分が経過していない）と判別し、制御部８は、上記のサンプリング（ステップ１２）、サンプリング値等の記録（ステップ１３）、処理条件の変更の有無の判別（ステップ１４）、および終了条件が満たされたか否かの判別（ステップ１５）を繰り返して実行する。
【００２８】
一方、図２に示すように、記録処理を開始した時点ｔ０から所定時間が経過して入力信号Ｓｉの電圧値が徐々に上昇し、信号処理部２において１０倍の増幅率で増幅した処理後信号ＳａがＡ／Ｄ変換部３の入力定格範囲を超えそうになったとき（一例として、時点ｔ１）には、信号処理部２による信号処理の処理条件を変更する（新たな処理条件の指定）。具体的には、一例として、入力信号Ｓｉを５倍の増幅率で増幅し、かつフィルタリング処理を実行しないとの処理条件を指定することで、入力信号Ｓｉの増幅率を低下させる。
【００２９】
この際に、制御部８は、新たな処理条件が指定された時点ｔ１ａにおいて、処理条件が変更されたと判別し（ステップ１４）、新たな処理条件に従って信号処理部２を制御して入力信号Ｓｉを信号処理させる（この例では、５倍の増幅率で入力信号Ｓｉを増幅させる）。また、制御部８は、図３に示すように、値が「１」の変更フラグ（「新たな処理条件が指定されたことを特定可能な第１の情報」の一例）を、新たな処理条件に従って信号処理されて最初にＡ／Ｄ変換されたデジタル信号Ｄｄについてのサンプリング値に対応付けて波形データＤｗ内に記録する（ステップ１６）。また、制御部８は、図４に示すように、新たな処理条件の内容を特定可能にその処理条件の情報（この例では、５倍の増幅率で増幅し、かつフィルタリング処理を実行しないとの情報：「設定１」の設定値）を設定情報Ｄｓに追記すると共に、図３に示すように、その設定条件を示す「１」の値を設定情報番号としてサンプリング値に対応付けて記録する（ステップ１７）。
【００３０】
次いで、制御部８は、設定された終了条件（この例では、開始から１０分が経過したとの条件）が満たされたか否かを判別する（ステップ１５）。この際には、終了条件が満たされていない（開始から１０分が経過していない）と判別し、制御部８は、上記のサンプリング（ステップ１２）、サンプリング値等の記録（ステップ１３）、処理条件の変更の有無の判別（ステップ１４）、および終了条件が満たされたか否かの判別（ステップ１５）を繰り返して実行する。
【００３１】
この際に、この波形記録装置１では、新たな処理条件が指定されてから、次に新たな処理条件が指定される（他の新たな処理条件が指定される）まで、または、記録処理が終了するまでの間においてサンプリングしたサンプリング値については、制御部８が、値が「０」の変更フラグを、そのサンプリング値に対応付けて波形データＤｗ内に記録する。また、この波形記録装置１では、新たに指定された処理条件に従って信号処理部２に信号処理させている状態においてサンプリングしたサンプリング値については、設定情報番号として「１」の値を、そのサンプリング値に対応付けて波形データＤｗ内に記録する。
【００３２】
また、図２に示すように、設定条件を変更した時点ｔ１ａから所定時間が経過して入力信号Ｓｉの電圧値が徐々に低下し、信号処理部２において５倍の増幅率で増幅した処理後信号ＳａがＡ／Ｄ変換部３の入力定格範囲の下限値の近傍となったとき（一例として、時点ｔ２）には、Ａ／Ｄ変換部３の分解能における下限値近傍の変換能力だけが利用される状態となる。したがって、このような状態となったときには、Ａ／Ｄ変換部３の分解能を無駄なく利用して詳細な情報を得るために、信号処理部２による信号処理の処理条件を変更する（新たな処理条件の指定）。具体的には、一例として、入力信号Ｓｉを２０倍の増幅率で増幅し、かつフィルタリング処理を実行しないとの処理条件を指定することで、入力信号Ｓｉの増幅率を上昇させる。
【００３３】
この際に、制御部８は、新たな処理条件が指定された時点ｔ２ａにおいて、処理条件が変更されたと判別し（ステップ１４）、新たな処理条件に従って信号処理部２を制御して入力信号Ｓｉを信号処理させる（この例では、２０倍の増幅率で入力信号Ｓｉを増幅させる）。また、制御部８は、図３に示すように、値が「１」の変更フラグ（「新たな処理条件が指定されたことを特定可能な第１の情報」の他の一例）を、新たな処理条件に従って信号処理されて最初にＡ／Ｄ変換されたデジタル信号Ｄｄについてのサンプリング値に対応付けて波形データＤｗ内に記録する（ステップ１６）。また、制御部８は、図４に示すように、新たな処理条件の内容を特定可能にその処理条件の情報（この例では、２０倍の増幅率で増幅し、かつフィルタリング処理を実行しないとの情報：「設定２」の設定値）を設定情報Ｄｓに追記すると共に（ステップ１７）、図３に示すように、その設定条件を示す「２」の値を設定情報番号としてサンプリング値に対応付けて記録する。
【００３４】
次いで、制御部８は、設定された終了条件（この例では、開始から１０分が経過したとの条件）が満たされたか否かを判別する（ステップ１５）。この際には、終了条件が満たされていない（開始から１０分が経過していない）と判別し、制御部８は、上記のサンプリング（ステップ１２）、サンプリング値等の記録（ステップ１３）、処理条件の変更の有無の判別（ステップ１４）、および終了条件が満たされたか否かの判別（ステップ１５）を繰り返して実行する。
【００３５】
この際に、この波形記録装置１では、新たな処理条件が指定されてから、次に新たな処理条件が指定される（他の新たな処理条件が指定される）まで、または、記録処理が終了するまでの間においてサンプリングしたサンプリング値については、制御部８が、値が「０」の変更フラグを、そのサンプリング値に対応付けて波形データＤｗ内に記録する。また、この波形記録装置１では、新たに指定された処理条件に従って信号処理部２に信号処理させている状態においてサンプリングしたサンプリング値については、設定情報番号として「２」の値を、そのサンプリング値に対応付けて波形データＤｗ内に記録する。この後、制御部８は、制御部８は、波形記録処理１０の開始から１０分が経過した時点ｔ３において、設定された終了条件が満たされたと判別し（ステップ１５）、この波形記録処理１０を終了する。
【００３６】
この波形記録装置１では、入力信号Ｓｉについての各サンプリング値を時系列に記録した波形データＤｗにおいて、信号処理部２による信号処理の処理条件が変更された時点に対応するサンプリング値に対応付けて「１」の変更フラグを記録すると共に、各サンプリング値が、設定情報Ｄｓに記録したいずれの処理条件で信号処理した処理後信号Ｓａについてのデジタル信号Ｄｄのサンプリング値であるかを特定可能に各サンプリング値毎に設定情報番号を記録している。したがって、各サンプリング値がどのような処理条件で信号処理された処理後信号Ｓａについてのデジタル信号Ｄｄのサンプリング値であるかを確実に特定することができる。このため、入力信号Ｓｉについての信号波形Ｗを表示部５に表示させたり印刷部６に印刷させたりするときには、記録部７に記録した波形データＤｗおよび設定情報Ｄｓに基づき、各時点の値が正確に再現される。
【００３７】
具体的には、図２に示すように、初期の処理条件に従って入力信号Ｓｉを信号処理した処理後信号Ｓａについてのデジタル信号Ｄｄのサンプリング値を記録した時点ｔ０〜ｔ１の間については、波形データＤｗ内の各サンプリング値と、設定情報Ｄｓにおける「設定０」の設定値とに基づき、信号波形Ｗ１が表示（または印刷）される。また、最初に変更された処理条件に従って入力信号Ｓｉを信号処理した処理後信号Ｓａについてのデジタル信号Ｄｄのサンプリング値を記録した時点ｔ１ａ〜ｔ２ａの間については、波形データＤｗ内の各サンプリング値と、設定情報Ｄｓにおける「設定１」の設定値とに基づき、信号波形Ｗ２が表示（または印刷）される。
【００３８】
さらに、２番目に変更された処理条件に従って入力信号Ｓｉを信号処理した処理後信号Ｓａについてのデジタル信号Ｄｄのサンプリング値を記録した時点ｔ２ａ〜ｔ３の間については、波形データＤｗ内の各サンプリング値と、設定情報Ｄｓにおける「設定２」の設定値とに基づき、信号波形Ｗ３が表示（または印刷）される。この際に、信号波形Ｗ１〜Ｗ３に対応させて、各設定条件の増幅率に対応するゲージ（測定したパラメータの値を示す目盛り：図２に示す「０Ｖ，５Ｖ，１０Ｖ」、「０Ｖ，１０Ｖ，２０Ｖ」および「０Ｖ，２．５Ｖ，５Ｖ」等の目盛り）を表示（または印刷）することで、各信号波形Ｗ１〜Ｗ３を正確かつ容易に読み取らせることが可能となる。
【００３９】
このように、この波形記録装置１では、新たな処理条件が指定されたことを特定可能な「第１の情報（本例では、波形データＤｗにおける値が「１」の「変更フラグ」）」を、新たな処理条件に従って信号処理して最初にＡ／Ｄ変換したデジタル信号Ｄｄの値に対応付けて記録させ、かつ、新たな処理条件の内容を特定可能な「第２の情報（本例では、設定情報Ｄｓ内の各情報）」を上記の「第１の情報」に対応付けて記録させる。
【００４０】
したがって、この波形記録装置１によれば、信号処理部２による信号処理の処理条件が変更されたときにデジタル信号Ｄｄのサンプリング値の記録処理（波形データＤｗの記録処理）を継続したとしても、各サンプリング値がどのような処理条件に従って信号処理された処理後信号Ｓａについてのデジタル信号Ｄｄのサンプリング値であるかを確実に特定することができる。このため、条件変更前のサンプリング値に基づく信号波形、および条件変更後のサンプリング値に基づく信号波形の双方を正確に表示または印刷することができる。また、信号処理部２による信号処理の処理条件を変更する必要が生じたときにサンプリング値（波形データＤｗ）の記録処理を続行することができるため、記録処理を再び実行することができないとき（例えば、記録対象の入力信号Ｓｉが１度しか発生しないとき）であっても、処理条件を任意に変更することができると共に、信号処理の処理条件を変更する以前に記録した波形データＤｗを破棄することなく、正確な信号波形を表示または印刷可能な情報として利用することができるため、信号処理の処理条件を変更する以前に記録した波形データを破棄するのと比較して、所望のデータ量の波形データＤｗを得るのに要する時間を充分に短縮することができる。
【００４１】
また、この波形記録装置１によれば、波形記録処理１０の実行中に新たな処理条件が指定されたときに、記録させたいずれの「第２の情報」に対応する処理条件に従って信号処理した処理後信号ＳａをＡ／Ｄ変換したデジタル信号Ｄｄの値であるかを特定可能な「第３の情報（本例では、波形データＤｗにおける「設定情報番号」）」を各デジタル信号Ｄｄの値にそれぞれ対応付けて記録させることにより、各サンプリング値が時系列に順次記録された波形データＤｗを途中から参照して信号波形Ｗを表示させたり印刷させたりするときであっても、参照を開始したサンプリング値がどのような処理条件に従って信号処理された処理後信号Ｓａについてのデジタル信号Ｄｄのサンプリング値であるかを確実に特定することができる。
【００４２】
なお、本発明は、上記の構成に限定されない。例えば、波形データＤｗおよび設定情報Ｄｓに基づく信号波形Ｗを表示部５に表示させたり印刷部６に印刷させたりする構成の波形記録装置１を例に挙げて説明したが、入力信号Ｓｉについての波形データＤｗや設定情報Ｄｓを記録するだけで、信号波形Ｗの表示や印刷に関しては、外部装置としての波形表示装置や波形印刷装置にデータを出力して実行させる構成を採用することもできる。
【符号の説明】
【００４３】
１  波形記録装置
２  信号処理部
３  Ａ／Ｄ変換部
４  操作部
５  表示部
６  印刷部
７  記録部
８  制御部
９  記憶部
１０  波形記録処理
Ｄｄ  デジタル信号
Ｄｗ  波形データ
Ｄｓ  設定情報
Ｓａ  処理後信号
Ｓｉ  入力信号
Ｗ，Ｗ１〜Ｗ３  信号波形
ｔ０〜ｔ３  時点
【図１】
2013076635.tif 000003
【図２】
2013076635.tif 000004
【図３】
2013076635.tif 000005
【図４】
2013076635.tif 000006
【図５】
2013076635.tif 000007